(57)【要約】【課題】履物の収納性に秀れ、且つ履物の出し入れも容易に行える実用性に秀れた履物収納棚を提供する。【解決手段】棚体１内に棚板２を上下多段に横設し、この棚板２に履物ａを載置保持して上下多段に履物ａを収納して前面開口部から取り出し可能な履物収納棚において、前記上下に横設した一組の上下棚板２Ａ，２Ｂを互いに平行対向状態とせずに、上棚板２Ａは棚体１の前面開口側に向けて下り傾斜し下棚板２Ｂは棚体１の奥側に向けて下り傾斜した傾斜対向状態に設けた構成を一部若しくは全部に備え、この傾斜対向状態の上下棚板２Ａ，２Ｂのうち上棚板２Ａは前記棚体１内から棚体１の前方外側に出し入れ可動自在に設け、この上棚板２Ａの前記棚体１内からの引き出し操作に連動して前記下棚板２Ｂを棚体１の奥側に向けて下り傾斜した状態から水平状態に起き上がる方向へ起動回動する棚板連動起動機構Ｔを備えた構成とする。【選択図】図１
2008161581.tif 000002
【特許請求の範囲】
【請求項１】
棚体内に棚板を上下多段に横設し、この棚板に履物を載置保持して上下多段に履物を収納して前面開口部から取り出し可能な履物収納棚において、前記上下に横設した一組の上下棚板を互いに平行対向状態とせずに、上棚板は棚体の前面開口側に向けて下り傾斜し下棚板は棚体の奥側に向けて下り傾斜した傾斜対向状態に設けた構成を一部若しくは全部に備え、この傾斜対向状態の上下棚板のうち上棚板は前記棚体内から棚体の前方外側に出し入れ可動自在に設け、この上棚板の前記棚体内からの引き出し操作に連動して前記下棚板を棚体の奥側に向けて下り傾斜した状態から水平状態に起き上がる方向へ起動回動する棚板連動起動機構を備えた構成としたことを特徴とする履物収納棚。
【請求項２】
前記上棚板に回動支持体の一端部を連結すると共にこの回動支持体の他端部を前記棚体に枢着連結し、上棚板を棚体内から引き出し操作した際、回動支持体の前記棚体に対する回動に伴って上棚板が前記棚体内での上棚板の横設位置より下方に下がった棚体の前方外側位置に引き出し回動する構成とすると共に、この上棚板の引き出し操作に伴い回動する回動支持体に前記下棚板を前記起動回動せしめる起動回動作用部を設け、前記上棚板の前記棚体内からの引き出し操作に伴う回動支持体の回動に連動して前記下棚板を前記起動回動作用部の作用により起動回動するように前記棚板連動起動機構を構成したことを特徴とする請求項１記載の履物収納棚。
【請求項３】
前記下棚板の前方端部を前記棚体と枢着してこの棚体との枢着部を軸に回動自在に構成し、前記回動支持体に設けた起動回動作用部は前記下棚板を押動する押動作用部とし、前記棚板連動起動機構は、前記上棚板の前記棚体内からの引き出し操作に伴う回動支持体の回動に連動して前記下棚板を前記押動作用部により上方へ押動してこの下棚板を前記枢着部を軸に起動回動する構成としたことを特徴とする請求項２記載の履物収納棚。
【請求項４】
前記上棚板を前記棚体内から引き出し操作した際、回動支持体の前記棚体に対する回動に伴って上棚板が前記棚体内での上棚板の横設位置より下方にして前記下棚板の前方若しくは前方下側に下がった前記棚体の前方外側位置に引き出し可動するように前記上棚板の出し入れ可動軌跡を設定したことを特徴とする請求項２，３のいずれか１項に記載の履物収納棚。
【請求項５】
前記上棚板を前記棚体の前方外側から棚体内へ押し入れ操作した際、この上棚板の棚体内への押し入れ操作に連動して前記下棚板を棚体の奥方に向けて下り傾斜した状態に戻り伏臥回動するように前記棚板連動起動機構を構成したことを特徴とする請求項１〜４のいずれか１項に記載の履物収納棚。
【請求項６】
前記上棚板は、前記棚体の前面開口側に向けて下り傾斜する前方下り傾斜姿勢を保持したままこの棚体内から棚体の前方外側に出し入れ可動自在に構成したことを特徴とする請求項１〜５のいずれか１項に記載の履物収納棚。
【発明の詳細な説明】
【技術分野】
【０００１】
本発明は、棚体に上下多段に横設した棚板に履物を載置保持してこの履物を上下多段に収納し得るように構成した履物収納棚に関するものである。
【背景技術】
【０００２】
履物を収納する従来の履物収納棚としては、図８（ｂ）に図示したように、棚体１に上下多段に棚板２を水平状態に横設（架設）し、この棚板２に履物ａを載置保持して履物を棚体１内に上下多段に収納し、棚体１の前面（図８中，左面）開口部からこの棚体１内に履物を出し入れし得る構成が一般的である。
【０００３】
ところで、履物は一般に爪先側に比してカカト側が高い形状である（特にハイヒールや、ハイカットのスニーカーなど）。その為、この履物のカカト側が十分に収まるように収納高さスペースを広く確保しても、即ち上下の棚板同志の間隔を十分に広く設けたとしても、その十分な収納高さスペースは履物の爪先側では不必要なためそれだけ無駄な収納スペースが生じてしまう。
【０００４】
そこで、上記履物の爪先側の無駄な収納スペースを有効に活用すべく、棚板を水平状態横設せずに傾斜状態に横設し、履物を傾斜姿勢に収納することで前記無駄な収納スペースを減らし収納効率の向上を図ったタイプも従来から種々提案されている（例えば特開平１０−１４６７７号公報など）。
【０００５】
しかし、例えば図８（ｂ）に図示したような棚板が水平状態の通常タイプであれば棚板に載置保持した履物をこの棚板の前面開口部から容易に出し入れできるものの、上述した棚板を傾斜状態に横設したタイプの場合、棚板が傾斜しているだけに上下棚板同志の間隔が狭まったり広がったりして、棚板同志の間隔が狭まった側からは履物の出し入れが困難であるという欠点を有した。
【０００６】
【特許文献１】特開平１０−１４６７７号公報
【発明の開示】
【発明が解決しようとする課題】
【０００７】
本発明は、上述した棚板を傾斜状態に横設するタイプの履物収納棚についての改良に係るものであって、上下棚板のうち一方の上棚板は棚体の前面開口側に向けて下り傾斜し、他方の下棚板は棚体の奥側に向けて下り傾斜してこの互い違いに傾斜する上下棚板に履物を載置保持して収納効率良く履物を上下多段に収納できることは勿論、棚体の前面開口側に向けて下り傾斜する上棚板を棚体から引き出し操作することで、棚体の奥側に向けて下り傾斜する下棚板が起動回動し、よって下棚板に載置保持した履物も棚体の前面開口部から容易に取り出し可能とし、収納性に秀れ履物の出し入れも容易に行える画期的で実用性に秀れた履物収納棚を提供することを課題とする。
【課題を解決するための手段】
【０００８】
添付図面を参照して本発明の要旨を説明する。
【０００９】
棚体１内に棚板２を上下多段に横設し、この棚板２に履物ａを載置保持して上下多段に履物ａを収納して前面開口部から取り出し可能な履物収納棚において、前記上下に横設した一組の上下棚板２Ａ，２Ｂを互いに平行対向状態とせずに、上棚板２Ａは棚体１の前面開口側に向けて下り傾斜し下棚板２Ｂは棚体１の奥側に向けて下り傾斜した傾斜対向状態に設けた構成を一部若しくは全部に備え、この傾斜対向状態の上下棚板２Ａ，２Ｂのうち上棚板２Ａは前記棚体１内から棚体１の前方外側に出し入れ可動自在に設け、この上棚板２Ａの前記棚体１内からの引き出し操作に連動して前記下棚板２Ｂを棚体１の奥側に向けて下り傾斜した状態から水平状態に起き上がる方向へ起動回動する棚板連動起動機構Ｔを備えた構成としたことを特徴とする履物収納棚に係るものである。
【００１０】
また、前記上棚板２Ａに回動支持体４の一端部を連結すると共にこの回動支持体４の他端部を前記棚体１に枢着連結し、上棚板２Ａを棚体１内から引き出し操作した際、回動支持体４の前記棚体１に対する回動に伴って上棚板２Ａが前記棚体１内での上棚板２Ａの横設位置より下方に下がった棚体１の前方外側位置に引き出し回動する構成とすると共に、この上棚板２Ａの引き出し操作に伴い回動する回動支持体４に前記下棚板２Ｂを前記起動回動せしめる起動回動作用部５を設け、前記上棚板２Ａの前記棚体１内からの引き出し操作に伴う回動支持体４の回動に連動して前記下棚板２Ｂを前記起動回動作用部５の作用により起動回動するように前記棚板連動起動機構Ｔを構成したことを特徴とする請求項１記載の履物収納棚に係るものである。
【００１１】
また、前記下棚板２Ｂの前方端部を前記棚体１と枢着してこの棚体１との枢着部３を軸に回動自在に構成し、前記回動支持体４に設けた起動回動作用部５は前記下棚板２Ｂを押動する押動作用部５とし、前記棚板連動起動機構Ｔは、前記上棚板２Ａの前記棚体１内からの引き出し操作に伴う回動支持体４の回動に連動して前記下棚板２を前記押動作用部５により上方へ押動してこの下棚板２を前記枢着部３を軸に起動回動する構成としたことを特徴とする請求項２記載の履物収納棚に係るものである。
【００１２】
また、前記上棚板２Ａを前記棚体１内から引き出し操作した際、回動支持体４の前記棚体１に対する回動に伴って上棚板２Ａが前記棚体１内での上棚板２Ａの横設位置より下方にして前記下棚板２Ｂの前方若しくは前方下側に下がった前記棚体１の前方外側位置に引き出し可動するように前記上棚板２Ａの出し入れ可動軌跡を設定したことを特徴とする請求項２，３のいずれか１項に記載の履物収納棚に係るものである。
【００１３】
また、前記上棚板２Ａを前記棚体１の前方外側から棚体１内へ押し入れ操作した際、この上棚板２Ａの棚体１内への押し入れ操作に連動して前記下棚板２Ｂを棚体１の奥方に向けて下り傾斜した状態に戻り伏臥回動するように前記棚板連動起動機構Ｔを構成したことを特徴とする請求項１〜４のいずれか１項に記載の履物収納棚に係るものである。
【００１４】
また、前記上棚板２Ａは、前記棚体１の前面開口側に向けて下り傾斜する前方下り傾斜姿勢を保持したままこの棚体１内から棚体１の前方外側に出し入れ可動自在に構成したことを特徴とする請求項１〜５のいずれか１項に記載の履物収納棚に係るものである。
【発明の効果】
【００１５】
本発明は上述のように構成したから、棚体に傾斜状態に横設した上下一組の上下棚板に履物を載置保持して、この棚体内に収納効率良く履物を収納できる。
【００１６】
しかも、本発明の棚板連動起動機構によれば、上棚板を棚体から引き出す簡単な操作で、履物の出し入れがしにくい（棚体の奥側に向けて下り傾斜状態の）下棚板を起動回動してこの下棚板への履物の載置保持や取り出しも良好に行うことができる。
【００１７】
よって本発明は、上下棚板により棚体内に履物を収納効率良く収納できるうえに履物の出し入れも非常に簡単且つ良好に行え、高い収納性と出し入れ作業性とを両立した画期的で極めて実用性に秀れた履物収納棚となる。
【００１８】
また、請求項２〜４記載の発明によれば、本発明の棚板連動起動機構の構造を簡易な構成で確実に実現できると共に一層実用性に秀れた履物収納棚となる。
【００１９】
即ち、上棚板を棚体から引き出し操作した際、この上棚板が、棚体内での上棚板の横設位置より下方に下がった棚体の前方外側位置（例えば下棚板の前方若しくは前方下側位置など）へと引き出し可動する構成としたから、この棚体内の下棚板への履物の載置保持や取り出しといった出し入れ作業を行う際に上棚板が邪魔になりにくく、それだけ下棚板への履物の出し入れ作業を一層簡易に且つ良好に行える秀れた構造となる。また、上棚板に回動支持体の一端部を連結し、この回動支持体の他端部を棚体に枢着連結する簡単な構造により、この上棚板が引き出し回動により下方に下がった棚体の前方外側位置に引き出し回動可動する構造を簡易に実現でき、しかも上棚板の引き出し回動操作に伴って回動するこの回動支持体の起動回動作用部により下棚板を前記起動回動せしめる構造とすることで、棚板連動起動機構による上下棚板の連動構造を一層簡易且つ確実に実現可能となる。
【００２０】
特に、請求項３記載の発明によれば、回動支持体に設けた起動回動作用部を、下棚板を押動する押動作用部とし、上棚板の前記棚体内からの引き出し操作に伴う回動支持体の回動により、この回動支持体に設けた押動作用部を例えば下棚板に下方から当接せしめこの下棚板と棚体との枢着部を軸に下棚板を押動し起動回動せしめる構成とするなど、本発明の棚板連動起動機構の構造を簡易な構成で確実に実現できる。
【００２１】
また、請求項５記載の発明においては、上棚板の棚体内からの引き出し操作に連動して下棚板が前記起動回動して履物の出し入れがし易い状態となるだけでなく、この引き出した上棚板を棚体の前方外側から棚体内へと押し入れ操作する際には、反対に前記下棚板が棚体の奥側に向けて下り傾斜する方向へと戻り伏臥回動することとなり履物を収納効率良く収納できる状態に戻り復帰する。即ち、上棚板の引き出し操作及び押し入れ操作により、履物を出し入れ作業し易い状態と、履物を収納効率良く収納できる状態との双方の状態を簡易操作で切替え可能な一層作業性に秀れた棚板連動起動機構を備えた一層実用性に秀れた履物収納棚となる。
【００２２】
また、請求項６記載の発明においては、上棚板は、棚体内に横設した状態と、この棚体内から引き出し可動した状態とのいずれの状態でも前方傾斜状態を保持しており、よって前記いずれの状態でもこの上棚板に向かって前方側から履物の載置保持や取り出しといった出し入れ作業を簡単に行うことができる作業性に秀れた履物収納棚となる。
【発明を実施するための最良の形態】
【００２３】
好適と考える本発明の実施形態（発明をどのように実施するか）を、図面に基づいて本発明の作用を示して簡単に説明する。
【００２４】
本発明は、棚体１内に棚板２を上下多段に横設し、この棚板２に履物ａを載置保持して上下多段に履物ａを収納して前面開口部から取り出し可能な履物収納棚である。
【００２５】
上下に横設した一組の上下棚板２Ａ，２Ｂは、互いに平行対向状態とせずに、上棚板２Ａは棚体１の前面開口側に向けて下り傾斜し、下棚板２Ｂは棚体１の奥側に向けて下り傾斜した傾斜対向状態に設けた構成を一部若しくは全部に備えている。
【００２６】
つまり、棚体１の一部（例えば棚体１の履物ａを収納するためのスペースのみにこの上下棚板２Ａ，２Ｂを一組又は複数組み設ける）若しくは全部（例えば棚体１の棚板２全てをこの上下棚板２Ａ，２Ｂとする）に設けたこの互い違いに傾斜する上下一組の上下棚板２Ａ，２Ｂにより、収納スペースの無駄を省いて収納効率良く履物ａを棚体１内に収納できることとなる。
【００２７】
即ち、例えば図８（ｂ）に図示したように、棚板２を単に水平状態に横設したタイプに比して、図８（ａ）に図示した本発明のように、上下棚板２Ａ，２Ｂを互い違いに傾斜した状態に横設した場合、履物ａの爪先側での無駄な収納スペースを省き、それだけ収納効率良く履物ａを棚体１内に収納できる。従って、例えば図８に図示したように、等しい棚段数であれば棚体１自体の高さを低く設計できるし、また、棚体１の高さを等しく設計した場合には各棚段における収納スペースをゆとりを持って広く設けることができる。
【００２８】
また、ここで、棚体１の前面開口側に向けて下り傾斜する上棚板２Ａに載置保持した履物ａは、棚体１の前面開口部から容易に出し入れ可能であるが、一方、下棚板２Ｂに載置保持した履物ａは、この下棚板２Ｂが棚体１の奥側に向けて下り傾斜しているだけにこの棚体１の前面開口部から取り出しにくい。
【００２９】
しかし本発明では、上棚板２Ａを棚体１内からこの棚体１の前方外側に出し入れ可動自在に設けると共に、この上棚板２Ａを棚体１内から前方外側に引き出し操作することで棚板連動起動機構Ｔによって下棚板２Ｂが棚体１の奥側に向けて下り傾斜した状態から水平に起き上がる方向へと起動回動することとなる。
【００３０】
よって、上棚板２Ａを棚体１から引き出すことでこの上棚板２Ａに載置保持した履物ａを一層簡単に出し入れが可能な上に、この上棚板２Ａの引き出し操作のみで下棚板２Ｂが履物ａを出し入れしにくい傾き姿勢から起動回動して起き上がり、下棚板２Ｂに載置保持する履物ａの出し入れも非常に良好に行えることとなる。
【００３１】
また、例えば、前記上棚板２Ａに回動支持体４の一端部を連結すると共にこの回動支持体４の他端部を前記棚体１に枢着連結し、上棚板２Ａを棚体１内から引き出し操作した際、回動支持体４の前記棚体１に対する回動に伴って上棚板２Ａが前記棚体１内での上棚板２Ａの横設位置より下方に下がった棚体１の前方外側位置に引き出し回動する構成とすると共に、この上棚板２Ａの引き出し操作に伴い回動する回動支持体４に前記下棚板２Ｂを前記起動回動せしめる起動回動作用部５を設け、前記上棚板２Ａの前記棚体１内からの引き出し操作に伴う回動支持体４の回動に連動して前記下棚板２Ｂを前記起動回動作用部５の作用により起動回動するように前記棚板連動起動機構Ｔを構成した場合には、上棚板２Ａを棚体１から引き出し操作した際、この上棚板２Ａが前方下方側へと引き出し可動することとなるので、棚体１の下方に下がった前方外側に可動したこの上棚板２Ａが、棚体１内の下棚板２Ｂへの履物ａの出し入れ作業時に一層邪魔になりにくい位置に可動されることとなり、よってこの棚体１内の下棚板２Ｂへの履物ａの載置保持や取り出しといった履物ａの出し入れ作業を一層良好に行えることとなる。
【００３２】
特に、例えば、前記上棚板２Ａを前記棚体１内から引き出し操作した際、回動支持体４の前記棚体１に対する回動に伴って上棚板２Ａが前記棚体１内での上棚板２Ａの横設位置より下方にして前記下棚板２Ｂの前方若しくは前方下側に下がった前記棚体１の前方外側位置に引き出し可動するように前記上棚板２Ａの出し入れ可動軌跡を設定すれば、上棚板２Ａを引き出した際の棚体１内の下棚板２Ｂへの履物ａの出し入れ作業を上棚板２Ａが何ら邪魔にならず極めて良好に行うことができ、出し入れ作業性に極めて秀れ一層使い勝手の良い履物収納棚となる。
【００３３】
しかも、このような秀れた上棚板２Ａの引き出し可動構造は、単に上棚板２Ａに一端部を連結して他端部を棚体１に枢着連結した回動支持体４の回動に伴う上棚板２Ａの引き出し回動による簡単な構成により実現し得ることとなる。即ち、上棚板２Ａの引き出し回動操作により上棚板２Ａが単に棚体１の前面開口側に引き出されるのみならず下方に下がった棚体１の前方外側位置に引き出し可動する構造を簡易構成で製造実現可能となる。
【００３４】
尚且つ、前記の回動支持体４の起動回動作用部５の作用により下棚板２Ｂを前記起動回動するように構成したから、この回動支持体４により前記上棚板２Ａの良好な下方前方への引き出し可動を実現すると共に、この上棚板２Ａの引き出し操作に連動して前記下棚板２を起動回動せしめる前記棚板連動起動機構Ｔの構造を簡易構成で容易に製造実現可能となる。
【実施例】
【００３５】
本発明の具体的な実施例について図面に基づいて説明する。
【００３６】
本実施例は、棚体１内に棚板２を上下多段に横設し、この棚板２に履物ａを載置保持して上下多段に履物ａを収納して前面開口部から取り出し可能な履物収納棚において、前記上下に横設した一組の上下棚板２Ａ，２Ｂを互いに平行対向状態とせずに、上棚板２Ａは棚体１の前面開口側に向けて下り傾斜し下棚板２Ｂは棚体１の奥側に向けて下り傾斜した傾斜対向状態に設けた構成を一部若しくは全部に備え、この傾斜対向状態の上下棚板２Ａ，２Ｂのうち上棚板２Ａは前記棚体１内から棚体１の前方外側に出し入れ可動自在に設け、この上棚板２Ａの前記棚体１内からの引き出し操作に連動して前記下棚板２Ｂを棚体１の奥側に向けて下り傾斜した状態から水平状態に起き上がる方向へ起動回動する棚板連動起動機構Ｔを備えた構成としたものである。
【００３７】
以下、本実施例を具体的に説明する。
【００３８】
本実施例の棚体１は、図１及び図８（ａ）に図示したように、正面から見て四角形状を呈する前面開口型の棚体１を採用する。棚体１の前面開口部には開閉自在に閉塞扉を設けるなどしても良い。
【００３９】
また、本実施例においては、棚体１の全収納スペースを履物ａを収納するためのスペースとして採用しており、図１及び図８に図示したように、棚体１に横設した棚板２（最下部の底板も含む）のうち、最下部の棚板２（底板）を除く全部を前記上下一組の上下棚板２Ａ，２Ｂとしている。即ち、一の上下棚板２Ａ，２Ｂの上方若しくは下方に他の上下棚板２Ａ，２Ｂを設けて複数の上下棚板２Ａ，２Ｂを上下に複数組み（図示した本実施例では６組）設けた構成としている。尚、棚体１は履物ａを収納するスペースと、他のものを収納するスペースとを有する構成とし、その一部の履物ａを収納するスペースに横設される棚板２のみを前記上下棚板２Ａ，２Ｂとして構成しても良く、即ち、棚体１は単に履物ａを収納する専用の収納棚でなく、玄関などに設定して様々なものを収納する収納棚のうちの一部に履物ａを収納するための前記上下棚板２Ａ，２Ｂを横設した構成としても良い。
【００４０】
また、この棚体１の左右両側壁部に上下棚板２Ａ，２Ｂの左右両端側を夫々連結してこの棚体１の上下方向に立設する一対の対向側壁部間に上下棚板２Ａ，２Ｂを架設横設する構成とし、この棚体１の左右両側壁部には、図１に図示したように、後述の上棚板２Ａを回動自在に支持する回動支持体４を枢着連結する枢着連結部４ａ並びに後述の下棚板２Ｂとこの棚体１との枢着部３を備えた棚板取付金具６をこの棚体１の左右両側壁部の内面側に沿設状態に取付固定している。尚、図中符号６ａは、この棚板取付金具６を棚体１の側壁部に取付固定するための止着ピンを挿通するピン通孔６ａである。
【００４１】
また、この左右一対の棚板取付金具６には夫々、後述の回動支持体４の回動範囲を規制するための回動規制当接部７，８を対向する棚板取付金具６に向けて突出した状態に設けている。
【００４２】
この棚体１の左右両側壁部に設けた左右一対の棚板取付金具６に架設状態に横設する前記上下棚板２Ａ，２Ｂのうち、下棚板２Ｂは、その左右両側の前方端部を夫々、枢着部３を介して前記左右一対の棚板取付金具６に回動自在に枢着した構成である。
【００４３】
この下棚板２Ｂは、上棚板２Ａの棚体１内からの引き出し操作に連動して前記棚板連動起動機構Ｔにより前記棚体１（の棚板取付金具６）との枢着部３を軸に起動回動（棚体１の奥側に下り傾斜した状態から水平状態となる方向に起き上がり回動）する構成である。
【００４４】
具体的には、下棚板２Ｂは図６，図７に図示したように木製の平面視矩形状の平板14の長さ方向両側部の裏面側（下面側）に金属製の取付具９をボルトとネジで止着固定し、この左右一対の取付具９を前記棚体１の棚板取付金具６に枢着連結する構成である。更に具体的には、この下棚板２Ｂの木製平板14の左右両側部の裏面側に止着固定した取付具９の枢着孔９ａを、図５及び図６に図示したように、棚体１の棚板取付金具６の前端部にして内方（対向する他の棚板取付金具６との対向方向）に突出した位置に形成された枢着孔３ａに連通状態に重合せしめて止着ボルト17Ａとナット17Ｂとで回動自在に枢着連結した構成である。尚、図中，符号15はこの下棚板２Ｂに載置保持した履物ａがこの下棚板２Ｂの傾き傾斜によって下方に滑落することを阻止するためのストッパー15である。
【００４５】
また、上棚板２Ａは、この上棚板２Ａに回動支持体４の一端部を連結すると共にこの回動支持体４の他端部を前記棚体１に枢着連結し、上棚板２Ａを棚体１内から引き出し操作した際、回動支持体４の前記棚体１に対する回動に伴って上棚板２Ａが前記棚体１内での上棚板２Ａの横設位置より下方に下がった棚体１の前方外側位置に引き出し回動する構成としている。
【００４６】
具体的には、この上棚板２Ａの左右両側端部に片側前後二体づつ合計四体の回動支持体４の各上端部（図１に図示したように、上棚板２Ａが棚体１内に位置する状態で上側となる端部）を枢着連結している。また、この四体の回動支持体４の各下端部（上棚板２Ａが棚体１内に位置する状態で下側となる端部）を、前記左右一対の棚板取付金具６の枢着連結部４ａに止着ボルト11Ａとナット11Ｂを介して回動自在に夫々枢着連結する。更に具体的には、この上棚板２Ａは、図６，図７に図示したように木製の平面視矩形状の平板13の長さ方向両側部の裏面側（下面側）に金属製の取付具10をボルトとネジで止着固定し、この左右一対の取付具10に各回動支持体４の上端部を夫々枢着連結する構成である。この上棚板２Ａの木製平板14の左右両側部の裏面側に止着固定した取付具10に前後に形成した枢着孔10ａを夫々、図５及び図６に図示したように、各回動支持体４の上端部に形成したボルト通孔12に連通状態に重合せしめて止着ボルト18Ａとナット18Ｂとで各々回動自在に枢着連結した構成である。尚、図中，符号16はこの上棚居板２Ａに載置保持した履物ａがこの上棚板２Ａの傾き傾斜によって下方に滑落することを阻止するためのストッパー16である。
【００４７】
従って、上棚板２Ａを棚体１内から前方に引き出し操作すると、この各回動支持体４の前記枢着連結部４ａを回動軸とした回動に伴って前記上棚板２Ａを棚体１内から下方に下がった棚体１の前方外側位置に引き出し回動でき、この引き出した上棚板２Ａを棚体１内へと押し入れ操作すると、この各回動支持体４の前記回動に伴ってこの上棚板２Ａが上方後方側へと押し上げ回動可動して棚体１内に戻り復帰することとなる。
【００４８】
また、上棚板２Ａは、左右両側端部に片側二体設けた回動支持体４により、図２及び図４に図示したように、この上棚板２Ａの姿勢を前方に向けて下り傾斜した状態に保持したままこの上棚板２Ａを棚体１内から棚体１の前方外側への引き出し及び棚体１内へ押し入れ回動自在に構成している。
【００４９】
また、この棚体１を前記棚体１内から引き出し操作した際、回動支持体４の前記棚体１に対する回動に伴って上棚板２Ａが前記棚体１内での上棚板２Ａの横設位置より下方にして前記下棚板２Ｂの前方若しくは前方下側に下がった前記棚体１の前方外側位置に引き出し可動するように前記上棚板２Ａの出し入れ可動軌跡を設定する。
【００５０】
ここで、上棚板２Ａの左右両側端部に片側前後二体設けた回動支持体４のうち、前側位置に設けた回動支持体４が付き上がり当接する回動規制当接部７を前記棚板取付金具６の前側端部位置に設けており、図４に図示したように、上棚板２Ａを棚体１の前方外側に引き出し回動操作した際に、所定の回動位置でこの回動規制当接部７が回動支持体４に突き当たり当接してこの回動支持体４の回動が停止されて前記上棚板２Ａの前記引き出し回動が停止される構成としている。本実施例では、この上棚板２Ａを前記棚体１内から引き出し操作した際、回動支持体４の前記棚体１に対する回動に伴って上棚板２Ａが前記棚体１内での上棚板２Ａの横設位置より下方にして前記下棚板２Ｂの前方若しくは前方下側まで下がった前記棚体１の前方外側位置に引き出し可動した位置で前記回動規制当接部７によりこの上棚板２Ａの引き出し回動が停止規制されるように設定し、この引き出し回動を停止規制された上棚板２Ａの後端部（図４中，右端部）が、下棚板２Ｂの前端部（図４中，左端部）の前記棚体１との枢着部３と略等しい高さ位置となるように考慮してこの上棚板２Ａの引き出し回動軌跡を設定している。
【００５１】
従って、下方に下がった棚体１の前方外側位置に引き出した上棚板２Ａが、下棚板２Ｂに履物ａを載置したり取り出したりする際に邪魔とならない位置に上棚板２Ａが引き出されることとなる。
【００５２】
尚、棚体１内に位置する上棚板２Ａが、この上棚板２Ａや回動支持体４の自重によりこの回動支持体４と共に勝手に引き出し回動されないように、この上棚板２Ａが棚体１内に位置する状態では、各回動支持体４が、図２に図示したように棚体１の棚板取付金具６との枢着連結部４ａから垂直上方よりも棚体１の奥側に倒れた方向に立ち上がった状態となるように構成している。
【００５３】
従って、例えば手などで引動して上棚板２Ａを引き出し操作しないかぎり、勝手に上棚板２Ａが棚体１内から引き出し回動可動することは無い。
【００５４】
また、本実施例では、この上棚板２Ａの引き出し操作に伴い回動する回動支持体４に前記下棚板２Ｂを前記起動回動せしめる起動回動作用部５を設け、前記上棚板２Ａの前記棚体１内からの引き出し操作に伴う回動支持体４の回動に連動して前記下棚板２Ｂを前記起動回動作用部５の作用により起動回動するように前記棚板連動起動機構Ｔを構成している。
【００５５】
この回動支持体４の回動に連動して下棚板２Ｂを前記起動回動せしめる起動回動作用部５の構造としては種々採用できるが、図示した本実施例では、前記回動支持体４に設けた起動回動作用部５は前記下棚板２Ｂを押動する押動作用部５とし、前記棚板連動起動機構Ｔは、前記上棚板２Ａの前記棚体１内からの引き出し操作に伴う回動支持体４の回動に連動して前記下棚板２を前記押動作用部５により上方へ押動してこの下棚板２を前記枢着部３を軸に起動回動する構成としている。
【００５６】
具体的には、上棚板２Ａの左右両側端部に片側前後二体設ける回動支持体４のうち、後側の回動支持体４の垂下途中位置に後方に向けて突出形成すると共にこの突出先端にして前記下棚板２Ｂの裏面部に当接する位置に当接ローラ５Ａを設けて前記押動作用部５を構成している。また、棚体１との枢着部３を軸に伏臥回動（棚体１の奥側に向けて下り傾斜する方向に回動）しようとする下棚板２Ｂをこの当接ローラ５Ａにより支承当接して姿勢保持している構成とする。
【００５７】
また、上棚板２Ａの引き出し回動に伴って回動支持体４が回動すると前記当接ローラ５が回動上動するように構成し、この上棚板２Ｂの押し入れ回動に伴って回動支持体４が回動すると前記当接ローラ５が回動下動するように構成している。
【００５８】
上記のように構成した本実施例の棚板連動起動機構Ｔの連動作動を説明する。
【００５９】
上棚板２Ａが棚体１内に横設された状態では、図２に図示したように、上棚板２Ａは前方（棚体１の前方開口側）に向けて下り傾斜した状態で、一方、下棚板２Ｂは後方（棚体１の奥側）に向けて下り傾斜した状態である。
【００６０】
この上棚板２Ａを手などで棚体１内からこの棚体１の前方開口側へと引き出し回動操作すると、この引き出し回動に連動して回動支持体４が回動すると共にこの回動支持体４に突出状態に設けた押動作用部５が回動上動する。
【００６１】
これにより、この押動作用部５の当接ローラ５Ａに下方から当接支承されている前記下棚板２Ａは、この当接ローラ５Ａの回動上動、つまりは上棚板２Ａの引き出し回動に連動して、図３に図示したように起動回動（棚体１の奥方に向けて下り傾斜していた状態から水平状態に起き上がる方向に回動）することとなる。
【００６２】
そして、最終的に上棚板２Ａを下方に下がった棚体１の前方外側の所定位置（回動規制当接部７に前側の回動支持体４が突き当たり当接する位置）まで引き出し回動操作することで、下棚板２Ｂは図４に図示した略水平状態まで起動回動することとなる。
【００６３】
この際、上棚板２Ａは、図１及び図４に図示したように、下棚板２Ｂの前記棚体１との枢着部３と略等しい高さ位置から、前方に向けて下り傾斜した状態となる。
【００６４】
従って、図１及び図４に図示した上棚板２Ａを棚体１の前方外側に引き出した状態では上棚板２Ａは勿論、棚体１の奥側に向かって下り傾斜していた下棚板２Ｂも略水平状態にまで起き上がり前方上方からこの棚体１内の下棚板２Ｂへの履物ａの出し入れ作業も非常に簡単且つ良好に行えることとなる。
【００６５】
また、この上棚板２Ａを棚体１の前方外側に引き出した状態から反対に棚体１内に戻す押し入れ回動操作をすると、この押し入れ回動に連動して回動支持体４が回動すると共にこの回動支持体４に突出状態に設けた押動作用部５が回動下動する。
【００６６】
この押動作用部５の当接ローラ５Ａの回動下動、つまりは上棚板２Ａの押し入れ回動に連動して、前記下棚板２Ｂは前記棚体１との枢着部３を軸に再び図２及び図３に図示した棚体１の奥側に向けて下り傾斜する方向へと伏臥回動することとなる。
【００６７】
尚、符号８は、上棚板２Ａを押し入れ回動操作した際に所定の押し入れ回動角度位置で前記回動支持体４の押動作用部５に下方から突き当たり当接してこの回動支持体４の回動を停止して前記上棚板２Ａの前記押し入れ回動を停止規制する回動規制当接部８である。
【００６８】
本実施例では、図２及び図７に図示したように、押し入れ回動する上棚板２Ａが棚体１内に戻り復帰した位置でこの回動規制当接部８が前記回動支持体４の押動作用部５に突き当たり当接して上棚板２Ａが回動停止規制されるように構成している。
【００６９】
尚、本発明は、本実施例に限られるものではなく、各構成要件の具体的構成は適宜設計し得るものである。
【図面の簡単な説明】
【００７０】
【図１】本実施例に係る履物収納棚の使用状態説明図である。
【図２】本実施例に係る履物収納棚の棚板連動起動機構Ｔの作動説明図である。
【図３】本実施例に係る履物収納棚の棚板連動起動機構Ｔの作動説明図である。
【図４】本実施例に係る履物収納棚の棚板連動起動機構Ｔの作動説明図である。
【図５】本実施例に係る履物収納棚の説明分解斜視図である。
【図６】本実施例に係る履物収納棚の説明分解斜視図である。
【図７】本実施例に係る履物収納棚の要部説明斜視図である。
【図８】本発明と従来例との比較説明図である。
【符号の説明】
【００７１】
１  棚体
２  棚板
２Ａ  上棚板
２Ｂ  下棚板
３  枢着部
４  回動支持体
５  起動回動作用部，押動作用部
Ｔ  棚板連動起動機構
ａ  履物
【図１】
2008161581.tif 000003
【図２】
2008161581.tif 000004
【図３】
2008161581.tif 000005
【図４】
2008161581.tif 000006
【図５】
2008161581.tif 000007
【図６】
2008161581.tif 000008
【図７】
2008161581.tif 000009
【図８】
2008161581.tif 000010